(57)【要約】  【課題】操作を煩わせることなく、その時々の状況に適した楽曲を再生できるようにする情報処理装置を提供すること。  【解決手段】楽曲の聴取環境を示す聴取環境情報を取得する取得手段と、取得された聴取環境情報を、再生されている楽曲に対応させてＨＤＤ３１へ書き込む書込手段と、ＨＤＤ３１に楽曲に対応させて記憶されている聴取環境情報に基づいて、現在の聴取環境に応じた楽曲を選択する選択手段と、選択された楽曲を再生する再生手段とを装備する。  【選択図】  図１
2007041979.tif 000002
【特許請求の範囲】
【請求項１】
楽曲の聴取環境を示す聴取環境情報を取得する取得手段と、
該取得手段により取得された前記聴取環境情報を、再生されている楽曲に対応させて記
憶手段へ書き込む書込手段とを備えていることを特徴とする情報処理装置。
【請求項２】
前記聴取環境情報の前記記憶手段への書き込みが使用者から指示されたと判断すると、
前記書込手段が、再生されている楽曲に対応させて、前記聴取環境情報を前記記憶手段
へ書き込むものであることを特徴とする請求項１記載の情報処理装置。
【請求項３】
前記書込手段が、所定期間の間、再生されている楽曲に対応させて、前記聴取環境情報
を前記記憶手段へ書き込むものであることを特徴とする請求項１記載の情報処理装置。
【請求項４】
前記記憶手段に楽曲に対応させて記憶されている前記聴取環境情報に基づいて、現在の
聴取環境に応じた楽曲を選択する選択手段と、
該選択手段により選択された楽曲を再生する再生手段とを備えていることを特徴とする
請求項１〜３のいずれかの項に記載の情報処理装置。
【請求項５】
前記聴取環境情報が示す聴取環境に２以上の項目があり、
該項目に優先度を設定する設定手段を備え、
前記選択手段が、前記優先度を考慮して楽曲を選択するものであることを特徴とする請
求項４記載の情報処理装置。
【請求項６】
前記選択手段により選択された楽曲が再生されている場合、
前記楽曲の再生終了後、又は前記楽曲の再生終了直前に、前記選択手段が次の再生楽曲
を選択するものであることを特徴とする請求項４又は請求項５記載の情報処理装置。
【請求項７】
前記選択手段により選択されて再生されている楽曲に対し、使用者から削除が指示され
たと判断すると、
前記楽曲を前記選択手段による選択の対象から外す削除手段を備えていることを特徴と
する請求項４〜６のいずれかの項に記載の情報処理装置。
【請求項８】
前記選択手段が、過去に選択した楽曲の選択を制限するものであることを特徴とする請
求項４〜７のいずれかの項に記載の情報処理装置。
【請求項９】
前記取得手段により取得された前記聴取環境情報が示す聴取環境に応じた楽曲の選択が
できない場合、
前記選択手段が、前記楽曲に関連の高い楽曲を選択するものであることを特徴とする請
求項４〜８のいずれかの項に記載の情報処理装置。
【請求項１０】
楽曲の聴取環境を示す聴取環境情報を取得するステップと、
取得した前記聴取環境情報を、再生されている楽曲に対応させて記憶手段へ書き込むス
テップとを有していることを特徴とする情報処理方法。
【請求項１１】
前記記憶手段に楽曲に対応させて記憶されている前記聴取環境情報に基づいて、現在の
聴取環境に応じた楽曲を選択するステップと、
選択した楽曲を再生するステップとを有していることを特徴とする請求項１０記載の情
報処理方法。
【発明の詳細な説明】
【技術分野】
【０００１】
本発明は情報処理装置、及び情報処理方法に関し、より詳細には、その時々の状況に応
じた楽曲を再生することができるようにする情報処理装置、及び情報処理方法に関する。
【背景技術】
【０００２】
近年、ＨＤＤ（Hard Disk Drive ）などの大容量記憶装置が普及し、記憶装置に１００
０曲以上もの楽曲データが記憶されるようになっている。また、前記記憶装置には楽曲デ
ータだけでなく、曲名やアーティスト名など、楽曲それぞれの属性データなども記憶され
るようになっている。
【０００３】
例えば、図１１に示したように、ＨＤＤ１にはＣＤ２−１〜ＣＤ２−ｎに収録されてい
る楽曲データ、及びＴＯＣ（Table Of Contents ）、そしてＣＤに関する情報が記憶され
ている。ＣＤに関する情報としては、タイトル名や収録されている楽曲数、収録されてい
る楽曲の総演奏時間、収録されている各楽曲それぞれの属性データ（曲名やアーティスト
名）が挙げられる。
【０００４】
楽曲データ及びＴＯＣ情報については、ＣＤ２−１〜ＣＤ２−ｎから読み出してＨＤＤ
１に記憶させればよい。ＣＤに関する情報については、これら情報を提供するサービス機
関３があるため、サービス機関３から取得してＨＤＤ１に記憶させればよい。なお、サー
ビス機関３から取得したＣＤに関する情報が、ＨＤＤ１に記憶されているどの楽曲データ
に対応したものであるのかは、収録されている楽曲数と総演奏時間から判断することがで
きる。例えば、ＣＤ２−２（楽曲数１６曲、総演奏時間５１分１２秒）のタイトルは「大
発明」であることが分かり、そのＣＤ２−２の第１番目に収録されている楽曲の曲名は「
特許ａ」、アーティスト名は「特許太郎」であることが分かる。
【０００５】
ＨＤＤ１に記憶されている属性データを使用すれば、例えば、楽曲再生の条件としてア
ーティストを特定することによって、特定したアーティストの楽曲だけを自動的に選択し
て再生することができる。このような楽曲再生システムは、ＣＤの持込み枚数に限界のあ
る車両に装備されることが多く、中にはナビゲーションシステムと一体化されているもの
もある。
【０００６】
また、最近では、曲名やアーティスト名だけでなく、楽曲の属性データとして、年代や
曲のイメージに関する情報について記憶されているＨＤＤが存在し、これら属性の中から
１つ以上の条件を設定すれば、条件のすべてに合致する楽曲を自動的に選択して再生する
ものもある。例えば、条件を年代「７０年代」に設定すれば、７０年代の楽曲だけが再生
されることになり、また条件を年代「８０年代」＋曲のイメージ「静か」に設定すれば、
８０年代の「静か」な楽曲だけが再生されることになる。
【０００７】
このように、楽曲再生の条件を設定しておくことによって、ユーザーの好む楽曲を再生
させることはできるが、このような再生では、車両の走行位置や走行状態とは無関係に楽
曲が再生されるため、周囲の景観などと楽曲とがマッチせず、ユーザーに違和感を抱かせ
ることがある。
【０００８】
そこで、車両の走行位置や走行状態に応じた適切な楽曲を再生することができるように
する装置が提案されている。例えば、下記の特許文献１には、車両の走行するエリア、及
び前記車両の走行状態（高速走行、一定速度走行、加速、停止、徐行）に対応させて、楽
曲を設定しておき、所望の場所において、車両の走行状態に応じたユーザー好みの楽曲を
聴くことができるようにした技術について開示されている。
【０００９】
しかしながら、これではユーザーが予めエリアや走行状態、楽曲を設定しておかなけれ
ばならず、操作が煩わしいといった問題がある。また、エリア、走行状態、及び楽曲の設
定は、ユーザーの実体験に基づいたものであるとは限らない。そのため、ある場所におい
て、８０km/h以上で走行している場合に、ある楽曲Ａを再生するように設定しておいたと
しても、その楽曲再生が実際にその時のドライブシーンに適しているかどうかは分からな
い。
【特許文献１】特開２００３−０１４４６８号公報
【発明の開示】
【課題を解決するための手段及びその効果】
【００１０】
本発明は上記課題に鑑みなされたものであって、操作を煩わせることなく、その時々の
状況に適した楽曲を再生できるようにする情報処理装置、情報処理方法、及び記憶媒体を
提供することを目的としている。
【００１１】
上記目的を達成するために本発明に係る情報処理装置（１）は、楽曲の聴取環境を示す
聴取環境情報を取得する取得手段と、該取得手段により取得された前記聴取環境情報を、
再生されている楽曲に対応させて記憶手段へ書き込む書込手段とを備えていることを特徴
としている。
【００１２】
上記情報処理装置（１）によれば、楽曲の聴取環境（聴取者が楽曲を聴いている環境）
を示す前記聴取環境情報が、再生されている楽曲（聴取者が今現在聴いている楽曲）に対
応させて前記記憶手段へ書き込まれる。
例えば、海岸付近を６５km/hで走行する車両内で、楽曲Ａが聴かれている場合、「海岸
付近を６０km/h以上７０km/h未満で走行する車両内」という聴取環境を示す前記聴取環境
情報が楽曲Ａに対応させて前記記憶手段へ書き込まれる。すなわち、楽曲Ａが「海岸付近
を６０km/h以上７０km/hで走行する車両内」で聴かれていたことがあるという事実が前記
記憶手段に記憶されることになる。
【００１３】
従って、前記記憶手段に記憶されている内容を使用すれば、過去に聴いた同じシチュエ
ーションで、その時に再生されていた楽曲を再生させることができる。例えば、「海岸付
近を６０km/h以上７０km/h未満で走行する車両内」という過去に聴いた同じシチュエーシ
ョンで、楽曲Ａを再生させることができる。
【００１４】
また、聴取者が「今のシチュエーション（聴取環境）に、今聴いているこの楽曲はピッ
タリだ」と思った時（すなわち、今現在の聴取環境に適した楽曲が再生されている時）に
限定して、前記書込手段による書き込みを行うようにすれば、聴取者の感性に適合するか
たちで楽曲を再生させることができる。また、聴取者による操作も、前記書込手段による
書き込み指示といった簡単なものにすることができる。
【００１５】
また、本発明に係る情報処理装置（２）は、上記情報処理装置（１）において、前記聴
取環境情報の前記記憶手段への書き込みが使用者から指示されたと判断すると、前記書込
手段が、再生されている楽曲に対応させて、前記聴取環境情報を前記記憶手段へ書き込む
ものであることを特徴としている。
【００１６】
上記情報処理装置（２）によれば、前記聴取環境情報の前記記憶手段への書き込みが使
用者から指示されると、再生されている楽曲に対応させて、前記聴取環境情報が前記記憶
手段へ書き込まれる。
例えば、海岸付近を６５km/hで走行する車両内で、楽曲Ａが再生されている時に、使用
者により「登録釦」が押下されると、「海岸付近を６０km/h以上７０km/h未満で走行する
車両内」という聴取環境を示す前記聴取環境情報が楽曲Ａに対応させて前記記憶手段へ書
き込まれる。使用者が希望する場合に限定して、前記書込手段による書き込みを行わせる
ことができる。
【００１７】
また、本発明に係る情報処理装置（３）は、上記情報処理装置（１）において、前記書
込手段が、所定期間の間、再生されている楽曲に対応させて、前記聴取環境情報を前記記
憶手段へ書き込むものであることを特徴としている。
【００１８】
上記情報処理装置（３）によれば、前記所定期間の間、再生されている楽曲に対応させ
て、前記聴取環境情報が前記記憶手段へ書き込まれる。これにより、使用者は頻繁に書き
込みを指示しなくてよいので、使用者の操作手間を軽減することができる。
前記所定期間としては、例えば、下記のａ〜ｄが挙げられる。
ａ．ある時から所定時間が経過するまで
ｂ．使用者による開始の指示から、終了の指示まで
ｃ．一定の楽曲数に対応する前記聴取環境情報が前記記憶手段へ書き込まれるまで
ｄ．設定された聴取環境（例えば、海岸付近を走行中）が継続している期間
【００１９】
前記聴取環境情報としては、例えば、月日情報や、曜日情報、時刻情報、季節情報、気
象情報などが挙げられる。前記聴取環境情報に、月日情報が含まれていれば、特定日（例
えば、正月、誕生日、クリスマス）に応じた楽曲の再生ができ、曜日情報が含まれていれ
ば、曜日に応じた楽曲の再生（例えば、平日、休日それぞれに応じた楽曲の再生）ができ
る。
また、前記聴取環境情報に、時刻情報が含まれていれば、時間帯に応じた楽曲の再生（
例えば、出勤時、帰宅時それぞれに応じた楽曲の再生）ができ、季節情報が含まれていれ
ば、季節に応じた楽曲の再生ができ、そして、気象情報が含まれていれば、気象に応じた
楽曲の再生（例えば、晴れ、曇り、雨、雪それぞれに応じた楽曲の再生）ができる。
【００２０】
また、前記聴取環境情報としては、例えば、車両周辺の環境情報や、車両の走行状態情
報などが挙げられる。車両周辺の環境情報としては、例えば、海岸付近、高速道路、市街
地などが挙げられ、車両の走行状態情報としては、例えば、速度、渋滞遭遇などが挙げら
れる。
そして、前記聴取環境情報に、車両周辺の環境情報が含まれていれば、海岸付近走行中
や、高速道路走行中、市街地走行中などそれぞれの周辺環境に応じた楽曲の再生ができ、
また、車両の走行状態情報が含まれていれば、速度や、渋滞遭遇時に応じた楽曲の再生が
できる。
【００２１】
また、本発明に係る情報処理装置（４）は、上記情報処理装置（１）〜（３）のいずれ
かにおいて、前記記憶手段に楽曲に対応させて記憶されている前記聴取環境情報に基づい
て、現在の聴取環境に応じた楽曲を選択する選択手段と、該選択手段により選択された楽
曲を再生する再生手段とを備えていることを特徴としている。
【００２２】
上記情報処理装置（４）によれば、前記記憶手段に楽曲に対応させて記憶されている前
記聴取環境情報に基づいて、現在の聴取環境に応じた楽曲が選択され、選択された楽曲が
再生される。例えば、「海岸付近を６０km/h以上７０km/h未満で走行する車両内」という
聴取環境を示す前記聴取環境情報が楽曲Ａに対応させて前記記憶手段へ記憶されている時
に、使用者を乗せた車両の速度が海岸付近を走行中に６０km/h以上になると、その聴取環
境に応じた楽曲Ａが選択されて再生されることになる。
【００２３】
従って、過去に聴いた同じシチュエーションで、その時に再生されていた楽曲を再生さ
せることができる。また、聴取者が「今のシチュエーション（聴取環境）に、今聴いてい
るこの楽曲はピッタリだ」と思った時（すなわち、今現在の聴取環境に適した楽曲が再生
されている時）に限定して、前記書込手段による書き込みを行うようにすれば、聴取者の
感性に適合するかたちで楽曲を再生させることができる。
【００２４】
また、本発明に係る情報処理装置（５）は、上記情報処理装置（４）において、前記聴
取環境情報が示す聴取環境に２以上の項目があり、該項目に優先度を設定する設定手段を
備え、前記選択手段が、前記優先度を考慮して楽曲を選択するものであることを特徴とし
ている。
【００２５】
上記情報処理装置（５）によれば、前記聴取環境情報が示す聴取環境に２以上の項目が
あり、該項目に設定された優先度を考慮して楽曲が選択される。例えば、聴取環境に項目
ａ（時間帯）、項目ｂ（曜日）、項目ｃ（車両周辺環境）の３項目があり、項目ｃを項目
ａ，ｂよりも優先するように優先度が設定されていれば、項目ｃだけを用いて楽曲が選択
される。従って、この優先度を使用者が設定することによって、より一層使用者の希望す
るかたちでの楽曲再生ができる。
【００２６】
また、本発明に係る情報処理装置（６）は、上記情報処理装置（４）又は（５）におい
て、前記選択手段により選択された楽曲が再生されている場合、前記楽曲の再生終了後、
又は前記楽曲の再生終了直前に、前記選択手段が次の再生楽曲を選択するものであること
を特徴としている。
【００２７】
上記情報処理装置（６）によれば、前記楽曲の再生終了後、又は前記楽曲の再生終了直
前に、次の再生楽曲が選択される。すなわち、ある時点の聴取環境に応じた楽曲が複数ま
とめて選択されるのではなく、１曲ごとに最新の聴取環境に応じて楽曲が選択される。従
って、その時々のシチュエーションに最も適した楽曲を選択し、再生することができる。
【００２８】
また、前記選択手段により選択されて再生されている楽曲に対し、使用者から再生終了
が指示された（例えば、スキップ釦や、トラックアップ釦などの押下）と判断した場合に
、前記楽曲の再生を終了するように構成すれば、１曲分の再生終了を待たずに、次の楽曲
の選択へ移行させることができる。
【００２９】
また、本発明に係る情報処理装置（７）は、上記情報処理装置（４）〜（６）のいずれ
かにおいて、前記選択手段により選択されて再生されている楽曲に対し、使用者から削除
が指示されたと判断すると、前記楽曲を前記選択手段による選択の対象から外す削除手段
を備えていることを特徴としている。
【００３０】
上記情報処理装置（７）によれば、使用者から削除が指示されると、再生されている楽
曲が前記選択手段による選択の対象から外される。従って、使用者が聴取を望まない楽曲
が今後選択されないようにすることができる。
前記選択手段による選択の対象から外す方法としては、前記記憶手段から前記楽曲に対
応させて記憶した前記聴取環境情報を削除する方法や、各楽曲ごとに選択対象可否データ
を設け、使用者から削除指示のあった楽曲に対する選択対象可否データを「否」にすると
いった方法が挙げられる。
【００３１】
また、本発明に係る情報処理装置（８）は、上記情報処理装置（４）〜（７）のいずれ
かにおいて、前記選択手段が、過去に選択した楽曲の選択を制限するものであることを特
徴としている。
【００３２】
上記情報処理装置（８）によれば、過去に選択した楽曲の選択が制限されるので、同じ
楽曲が繰り返し選択されるのを防止することができる。楽曲選択を制限する方法としては
、例えば、別の楽曲がある一定曲（５曲など）選択されるまで、同じ楽曲の選択を禁止す
るといった方法や、一定の時間（３０分）が経過するまで、同じ楽曲の選択を禁止すると
いった方法が挙げられる。
【００３３】
また、本発明に係る情報処理装置（９）は、上記情報処理装置（４）〜（８）のいずれ
かにおいて、前記取得手段により取得された前記聴取環境情報が示す聴取環境に応じた楽
曲の選択ができない場合、前記選択手段が、前記楽曲に関連の高い楽曲を選択するもので
あることを特徴としている。
【００３４】
上記情報処理装置（９）によれば、聴取環境に応じた楽曲が存在しない場合、前記楽曲
に関連の高い楽曲が選択される。例えば、同じ楽曲が繰り返し選択されるのを防止されて
いる場合、聴取環境に応じた楽曲を選択できないおそれがあるが、前記楽曲に関連の高い
楽曲が選択されるので、選択対象が無くなる可能性を低くすることができる。
例えば、「海岸付近を６０km/h以上７０km/h未満で走行する車両内」で聴くに適した楽
曲が、楽曲Ａだけであり、楽曲Ａが既に選択され再生されてしまった場合には、楽曲Ａと
同じアーティストの楽曲を選択する。
【００３５】
また、本発明に係る情報処理方法（１）は、楽曲の聴取環境を示す聴取環境情報を取得
するステップと、取得した前記聴取環境情報を、再生されている楽曲に対応させて記憶手
段へ書き込むステップとを有していることを特徴としている。
【００３６】
上記情報処理方法（１）によれば、楽曲の聴取環境（聴取者が楽曲を聴いている環境）
を示す前記聴取環境情報を、再生されている楽曲（聴取者が今現在聴いている楽曲）に対
応させて前記記憶手段へ書き込む。
例えば、海岸付近を６５km/hで走行する車両内で、楽曲Ａが聴かれている場合、「海岸
付近を６０km/h以上７０km/h未満で走行する車両内」という聴取環境を示す前記聴取環境
情報を楽曲Ａに対応させて前記記憶手段へ書き込む。すなわち、楽曲Ａが「海岸付近を６
０km/h以上７０km/hで走行する車両内」で聴かれていたことがあるという事実が前記記憶
手段に記憶されることになる。
【００３７】
従って、前記記憶手段に記憶されている内容を使用すれば、過去に聴いた同じシチュエ
ーションで、その時に再生されていた楽曲を再生させることができる。例えば、「海岸付
近を６０km/h以上７０km/h未満で走行する車両内」という過去に聴いた同じシチュエーシ
ョンで、楽曲Ａを再生させることができる。
【００３８】
また、聴取者が「今のシチュエーション（聴取環境）に、今聴いているこの楽曲はピッ
タリだ」と思った時（すなわち、今現在の聴取環境に適した楽曲が再生されている時）に
限定して、前記書込手段による書き込みを行うようにすれば、聴取者の感性に適合するか
たちで楽曲を再生させることができる。また、聴取者による操作も、前記書込手段による
書き込み指示といった簡単なものにすることができる。
【００３９】
また、本発明に係る情報処理方法（２）は、上記情報処理方法（１）において、前記記
憶手段に楽曲に対応させて記憶されている前記聴取環境情報に基づいて、現在の聴取環境
に応じた楽曲を選択するステップと、選択した楽曲を再生するステップとを有しているこ
とを特徴としている。
【００４０】
上記情報処理方法（２）によれば、前記記憶手段に楽曲に対応させて記憶されている前
記聴取環境情報に基づいて、現在の聴取環境に応じた楽曲を選択し、選択した楽曲を再生
する。例えば、「海岸付近を６０km/h以上７０km/h未満で走行する車両内」という聴取環
境を示す前記聴取環境情報が楽曲Ａに対応させて前記記憶手段へ記憶されている時に、使
用者を乗せた車両の速度が海岸付近を走行中に６０km/h以上になると、その聴取環境に応
じた楽曲Ａを選択して再生することになる。
【００４１】
従って、過去に聴いた同じシチュエーションで、その時に再生されていた楽曲を再生さ
せることができる。また、聴取者が「今のシチュエーション（聴取環境）に、今聴いてい
るこの楽曲はピッタリだ」と思った時（すなわち、今現在の聴取環境に適した楽曲が再生
されている時）に限定して、前記書込手段による書き込みを行うようにすれば、聴取者の
感性に適合するかたちで楽曲を再生させることができる。
【発明を実施するための最良の形態】
【００４２】
以下、本発明に係る情報処理装置、及び情報処理方法の実施の形態を図面に基づいて説
明する。図１は、実施の形態（１）に係る情報処理装置を含んで構成される（又は情報処
理方法が採用された）、ナビゲーション機能を有したオーディオシステムの要部を概略的
に示したブロック図である。図中１１はオーディオ装置を示しており、車両に装備される
ようになっている。
【００４３】
オーディオ装置１１は、メイン制御部であるオーディオ用制御部１３及びナビゲーショ
ン用制御部１４を含むマイコン１２と、アンテナ１５からテレビ放送波やラジオ放送波を
受信するための放送波受信機１６と、ＣＤやＤＶＤなどの記憶媒体１７から楽曲データな
どを読み出すためのＤＶＤドライブ１８と、ボタンスイッチ１９ａを有したリモコン１９
と、ボタンスイッチ２０ａ及びタッチパネルとなっている表示画面２０ｂを有した表示装
置２０と、音声を電気信号に変換するマイクロフォン２１と、マイクロフォン２１で変換
された電気信号を処理して音声を認識するための音声認識部２２と、マイコン１２からの
文字データを処理して合成音声データを生成する音声合成部２３と、音声合成部２３で生
成された合成音声データを増幅する増幅器２４と、増幅された合成音声データを音声とし
て出力するスピーカ２５とを含んで構成されている。なお、文字データではない、楽曲デ
ータなどの音声データについては音声合成部２３を介さずに、スピーカ２５から出力され
るようになっている。
上記したように、表示画面２０ｂはタッチパネルとなっており、表示画面２０ｂに触れ
た指の位置を検出することができ、検出された結果についてはマイコン１２で取得するこ
とができるようになっている。
【００４４】
マイコン１２に接続されている携帯電話などの移動体通信機２６は、サーバー（図示せ
ず）からの情報などの受信に用いるものであり、マイコン１２は移動体通信機２６を介し
てサーバーからの情報（例えば、楽曲に関する情報）を取得することができるようになっ
ている。
【００４５】
また、マイコン１２に接続されているＧＰＳ受信機２７は、アンテナ２８を介して衛星
からのＧＰＳ信号を受信するものであり、マイコン１２はＧＰＳ信号に基づいて車両の現
在位置を割り出すことができるようになっている。また、マイコン１２には車両の速度に
関するデータを検出するための車速センサ２９と、車両の進行方向に関するデータを取得
するためのジャイロセンサ３０と、磁気ディスク（図示せず）で構成され、データの読み
書きが可能であり、地図データや、楽曲データ、楽曲情報に関するデータなど各種データ
が記憶されたＨＤＤ３１とが接続されている。なお、ここでは地図データが記憶されたＨ
ＤＤ３１を採用しているが、別の実施の形態では、ＨＤＤ３１ではなく、その他の記憶媒
体、記憶装置を採用しても良く、例えば、地図データが記憶されたＤＶＤ−ＲＯＭを採用
しても良い。
【００４６】
図２−１、図２−２は、ＨＤＤ３１に記憶されている楽曲データ、及び楽曲情報に関す
るデータの一部を示した図であり、ＨＤＤ３１にはＣＤ２−１〜ＣＤ２−ｎ（図１１参照
）に収録されている楽曲データ及びＴＯＣ情報（例えば、ＣＤに収録されている楽曲数や
総演奏時間）に関するデータが記憶され、またＣＤに関する情報Ｉ（タイトル名、収録さ
れている楽曲数、収録されている楽曲の総演奏時間、アーティスト名、収録されている各
楽曲の曲名・演奏時間）と、ＣＤに関する情報II（収録されている楽曲数、収録されてい
る楽曲の総演奏時間、収録されている各楽曲の年代・曲のイメージ）とが記憶されている
。曲のイメージについては、「パワフル」、「普通」、「静か」などが挙げられる。
【００４７】
楽曲データやＴＯＣ情報に関するデータについては、ＣＤ２−１〜ＣＤ２−ｎなどから
データを読み出してＨＤＤ３１に記憶されるものであり、記憶された順番に整理番号が付
与されるようになっている。ＣＤに関する情報Ｉ，IIについては、メーカーによって、Ｈ
ＤＤ３１にあらかじめ記憶されているものがある。また、これらＣＤに関する情報Ｉ，II
については、ネットワークを介して配信されたり、ＦＭ多重を使って配信されるため、Ｈ
ＤＤ３１に記憶されているこれら情報を更新する場合には、移動体通信機２６や放送波受
信機１６を使用すれば良い。
【００４８】
なお、これらＣＤに関する情報Ｉ，IIが、ＨＤＤ３１に記憶されているどの楽曲データ
に対応したものであるのかは、収録されている楽曲数及び総演奏時間から判断することが
できる。例えば、ＣＤに関する情報Ｉから、整理番号「0002」が付与されたＣＤ（楽曲数
１６曲、総演奏時間５１分１２秒）のタイトルは「大発明」であり、そのＣＤの第１番目
に収録されている楽曲の曲名は「特許ａ」、アーティスト名は「特許太郎」であることが
分かる。また、ＣＤに関する情報IIから、整理番号「0002」が付与されたＣＤの第１番目
に収録されている楽曲の年代は「７０年代」、曲のイメージは「パワフル」であることが
分かる。
【００４９】
実施の形態（１）に係る情報処理装置を含んで構成される（又は情報処理方法が採用さ
れた）、オーディオシステムを構成するオーディオ装置１１のマイコン１２（オーディオ
用制御部１３）の行う処理動作［１］を図３−１〜図３−３に示したフローチャートに基
づいて説明する。なお、この処理動作［１］はリモコン１９が操作されることや、表示画
面２０ｂに触れられることによって、所定の操作が行われ、ユーザーにより楽曲再生が指
示された場合に行われる動作である。
【００５０】
まず、カテゴリー名が複数表示されているメニュー画面（図４）を表示し（ステップＳ
１）、ユーザーによりこれら選択肢の中から「アルバム名」、「アーティスト名」、「曲
名」、「年代・イメージ」、「ランダム」のいずれか（すなわち、「ドライブシーン」以
外）が選択されたか否かを判断する（ステップＳ２）。
【００５１】
「アルバム名」、「アーティスト名」、「曲名」、「年代・イメージ」、「ランダム」
のいずれかが選択されたと判断すれば、それぞれの選択肢に応じた選択画面を表示し、ユ
ーザーに必要な条件を入力させることによって、楽曲の再生リストを作成する（ステップ
Ｓ３）。例えば、「アルバム名」が選択された場合には、図５（ａ）に示したような選択
画面を表示し、ユーザーにより入力された「アルバム名」に該当するＣＤに収録されてい
た楽曲を使って再生リストを作成し、「年代・イメージ」が選択された場合には、図５（
ｂ）に示したような選択画面を表示し、ユーザーにより入力された「年代」、「曲のイメ
ージ」に該当する楽曲を使って再生リストを作成する。
【００５２】
次に、作成した再生リストに従って、再生すべき楽曲が残っているか否かを判断し（ス
テップＳ４）、残っていると判断すれば、次に再生すべき楽曲の楽曲データ、及び楽曲情
報をＨＤＤ３１から読み込み（ステップＳ５）、図６に示したように、読み込んだ楽曲情
報とスキップ釦Ｂ１及び登録釦Ｂ２とを表示画面２０ｂに表示させるように表示装置２０
を制御し（ステップＳ６）、楽曲データを再生することによって、音楽をスピーカ２５か
ら出力させる（ステップＳ７）。一方、再生すべき楽曲が残っていないと判断すれば、ス
テップＳ１へ戻る。
【００５３】
次に、楽曲データの再生が終了したか否かを判断し（ステップＳ８）、楽曲データの再
生が終了したと判断すれば、ステップＳ４へ戻り、上記と同様の処理を行い、再生すべき
楽曲が残っていると判断すれば、残っている再生すべき楽曲データを再生する。一方、楽
曲データの再生が終了していないと判断すれば、次に、スキップ釦Ｂ１が押下されたか否
かを判断する（ステップＳ９）。
【００５４】
スキップ釦Ｂ１が押下された（すなわち、ユーザーが次の楽曲再生への移行を希望して
いる）と判断すれば、楽曲データの再生を終了し（ステップＳ１０）、その後、ステップ
Ｓ４へ戻る。一方、スキップ釦Ｂ１が押下されていないと判断すれば、次に、登録釦Ｂ２
が押下されたか否かを判断する（ステップＳ１１）。
【００５５】
登録釦Ｂ２が押下されたと判断すれば、楽曲の聴取環境を示す聴取環境情報を取得し（
ステップＳ１２）、取得した聴取環境情報を、現在再生されている楽曲に対応させてＨＤ
Ｄ３１へ書き込み（ステップＳ１３）、その後、ステップＳ８へ戻る。一方、登録釦Ｂ２
が押下されていないと判断すれば、そのままステップＳ８へ戻る。
【００５６】
楽曲の聴取環境としては、例えば、月日、曜日、時刻、季節、気象、車両周辺の環境、
車両の走行状態などが挙げられる。ここでは、時刻、季節、気象、車両周辺の環境（海岸
付近走行，高速道路走行，市街地走行）、及び車両の走行状態（車両速度，渋滞遭遇）を
利用する場合について説明する。
【００５７】
時刻情報、季節情報については、車両に装備されている時計機能から取得することがで
きる。
気象情報については、移動体通信機２６を使って、気象情報を配信するサーバーから取
得したり、ワイパーの使用状況から取得することができる。
海岸付近、高速道路、市街地を走行しているか否かについては、ナビゲーション用制御
部１４で判断することができる。
速度情報については、車速センサ２９から取得することができる。
渋滞に遭遇しているか否かについては、交通情報を配信するサーバーから得られる情報
や、ＶＩＣＳ情報から判断することができる。また、低速走行が所定時間以上継続してい
るといった情報からも、渋滞に遭遇しているか否かを判断することができる。
【００５８】
図７は、聴取環境情報が、楽曲に対応させてＨＤＤ３１へ書き込まれた状態を示した図
である。各楽曲を識別する識別コードは、ＨＤＤ３１に記憶されている各ＣＤの整理番号
とトラック番号とから構成されている。例えば、識別コード「0012−03」の楽曲は、整理
番号が「0012」のＣＤの第３番目に収録されている楽曲を示す。
【００５９】
図７から識別コード「0012−03」の楽曲が、「時刻は20時25分」、「季節は夏」、「天
気は晴れ」、「海岸付近を走行中ではなかった」、「高速道路を走行中であった」、「市
街地を走行中ではなかった」、「速度は９８km/h」、「渋滞に遭遇していなかった」とい
う聴取環境で聴かれていたことが分かる。
【００６０】
また、ステップＳ２において、「アルバム名」、「アーティスト名」、「曲名」、「年
代・イメージ」、「ランダム」のいずれも選択されていないと判断すれば、次に、「ドラ
イブシーン」が選択されたか否かを判断する（ステップＳ１４）。「ドライブシーン」が
選択されたと判断すれば、「ドライブシーン」モードでの楽曲再生を行うために、ステッ
プＳ２１（図３−２）へ進む。
【００６１】
ステップＳ２１では、楽曲の検索に優先して使用する聴取環境を設定するための優先度
設定画面（図８）を表示し、ユーザーからの入力事項に基づいて、優先して使用する聴取
環境を設定する（ステップＳ２２）。図８から聴取環境として、「季節」、「気象」、「
海岸付」、及び「高速道路」の優先使用をユーザーが希望していることが分かる。
【００６２】
次に、現在の聴取環境を示す聴取環境情報を取得し（ステップＳ２３）、取得した聴取
環境情報、及びＨＤＤ３１に楽曲に対応させて記憶されている聴取環境情報に基づいて、
現在の聴取環境に応じた楽曲を検索する（ステップＳ２４）。例えば、現在の聴取環境が
下記Ａに示したような場合で、優先使用する聴取環境が「季節」、「気象」、「海岸付近
」、及び「高速道路」である時、「季節は夏」、「天気は晴れ」の聴取環境で聴かれてい
た楽曲が検索されることになる。すなわち、検索条件に含まれる聴取環境は、「季節」と
「気象」だけとなる。現在の聴取環境が海岸付近走行中ではなく、高速道路走行中でもな
いため、優先使用に設定された「海岸付近」、「高速道路」の聴取環境は検索条件に含ま
れない。
【００６３】
Ａ．聴取環境
時刻          ：  19時48分
季節          ：  夏
気象          ：  晴れ
海岸付近走行  ：  ｎｏ
高速道路走行  ：  ｎｏ
市街地走行    ：  ｎｏ
車両速度      ：  ６２km/h
渋滞遭遇      ：  ｎｏ
【００６４】
また、現在の聴取環境が下記Ｂに示したような場合で、優先使用する聴取環境が「季節
」、「気象」、「海岸付近走行」、及び「高速道路走行」である時、「季節は夏」、「天
気は晴れ」、「海岸付近を走行中であった」の聴取環境で聴かれていた楽曲が検索される
ことになる。現在の聴取環境が高速道路走行中でないため、優先使用に設定された「高速
道路走行」の聴取環境は検索条件に含まれない。
【００６５】
Ｂ．聴取環境
時刻          ：  14時31分
季節          ：  夏
気象          ：  晴れ
海岸付近走行  ：  ｙｅｓ
高速道路走行  ：  ｎｏ
市街地走行    ：  ｎｏ
車両速度      ：  ４２km/h
渋滞遭遇      ：  ｎｏ
【００６６】
次に、検索結果に基づいて、現在の聴取環境に応じた楽曲が存在するか否かを判断する
（ステップＳ２５）。現在の聴取環境に応じた楽曲が存在すると判断すれば、次に、当該
楽曲をマイコン１２のＲＯＭ（図示せず）にメモリされている再生記録と照合し（ステッ
プＳ２６）、選択可能な楽曲が存在するか否かを判断する（ステップＳ２７）。後で詳し
く説明するが、ＲＯＭには５曲前までの再生記録が残っており、同じ楽曲が繰り返し選択
されないようにしている。
【００６７】
照合の結果、選択可能な楽曲が存在すると判断すれば、絞り込み処理を行って、選択可
能な楽曲から１つの楽曲を選択し（ステップＳ２８）、選択した楽曲の楽曲データ、及び
楽曲情報をＨＤＤ３１から読み込み（ステップＳ２９）、図９に示したように、読み込ん
だ楽曲情報とスキップ釦Ｂ３及び削除釦Ｂ４とを表示画面２０ｂに表示させるように表示
装置２０を制御する（ステップＳ３０）。
【００６８】
次に、楽曲データを再生することによって、音楽をスピーカ２５から出力させ（ステッ
プＳ３１）、その後、再生した楽曲の識別コードをＲＯＭに書き込み、５曲前に再生した
楽曲の識別コードをＲＯＭから削除する（ステップＳ３２）。ステップＳ２８での楽曲の
絞り込み方法については、優先使用していない残りの聴取環境を用いるといった方法や、
ランダム選択といった方法が挙げられる。
【００６９】
次に、楽曲データの再生が終了したか否かを判断し（ステップＳ３３）、楽曲データの
再生が終了したと判断すれば、ステップＳ２３へ戻り、現在の聴取環境を示す聴取環境情
報を取得し、聴取環境に応じた楽曲を選択して再生する。一方、楽曲データの再生が終了
していないと判断すれば、次に、スキップ釦Ｂ３が押下されたか否かを判断する（ステッ
プＳ３４）。
【００７０】
スキップ釦Ｂ３が押下された（すなわち、ユーザーが次の楽曲再生への移行を希望して
いる）と判断すれば、楽曲データの再生を終了し（ステップＳ３５）、その後、ステップ
Ｓ２３へ戻る。一方、スキップ釦Ｂ３が押下されていないと判断すれば、次に、削除釦Ｂ
４が押下されたか否かを判断する（ステップＳ３６）。
【００７１】
削除釦Ｂ４が押下されたと判断すれば、再生中の楽曲の識別コードに対応させて記憶さ
れている聴取環境情報、及び識別コードを削除することによって、当該楽曲が「ドライブ
シーン」モードで選択されないようにし（ステップＳ３７）、その後、ステップＳ３３へ
戻る。一方、削除釦Ｂ４が押下されていないと判断すれば、そのままステップＳ３３へ戻
る。
【００７２】
また、ステップＳ２７において、再生記録との照合の結果、選択可能な楽曲が存在しな
い（すなわち、再生されたばかりの楽曲しか存在しない）と判断すれば、現在の聴取環境
に応じた楽曲に関連の高い楽曲を検索する（ステップＳ３８）。例えば、聴取環境に応じ
た楽曲と同じアーティストの楽曲を検索する。
【００７３】
次に、検索結果に基づいて、関連の高い楽曲が存在するか否かを判断する（ステップＳ
３９）。関連の高い楽曲が存在すると判断すれば、次に、当該楽曲をマイコン１２のＲＯ
Ｍ（図示せず）にメモリされている再生記録と照合し（ステップＳ４０）、選択可能な楽
曲が存在するか否かを判断する（ステップＳ４１）。
【００７４】
照合の結果、選択可能な楽曲が存在すると判断すれば、絞り込み処理を行って、選択可
能な楽曲から１つの楽曲を選択し（ステップＳ４２）、その後、ステップＳ２９へ進んで
、選択した楽曲の楽曲データ、及び楽曲情報をＨＤＤ３１から読み込み、そして再生する
。一方、再生記録との照合の結果、選択可能な楽曲が存在しないと判断すれば、ランダム
再生をするために、ステップＳ５１（図３−３）へ進む。
また、ステップＳ２５において、現在の聴取環境に応じた楽曲が存在しないと判断した
場合にも、ランダム再生をするために、ステップＳ５１へ進む。
【００７５】
ステップＳ５１では、ＨＤＤ３１に記憶されている楽曲をランダムに選択し、次に、選
択した楽曲をマイコン１２のＲＯＭにメモリされている再生記録と照合し（ステップＳ５
２）、選択可能な楽曲であるか否かを判断する（ステップＳ５３）。選択可能な楽曲でな
いと判断すれば、ステップＳ５１へ戻って別の楽曲を選択する。
【００７６】
ランダムに選択した楽曲が選択可能な楽曲であると判断すれば、次に、選択した楽曲の
楽曲データ、及び楽曲情報をＨＤＤ３１から読み込み（ステップＳ５４）、図１０に示し
たように、読み込んだ楽曲情報とスキップ釦Ｂ５とを表示画面２０ｂに表示させるように
表示装置２０を制御し（ステップＳ５５）、楽曲データを再生することによって、音楽を
スピーカ２５から出力させ（ステップＳ５６）、その後、再生した楽曲の識別コードをＲ
ＯＭに書き込み、５曲前に再生した楽曲の識別コードをＲＯＭから削除する（ステップＳ
５７）。
【００７７】
次に、楽曲データの再生が終了したか否かを判断し（ステップＳ５８）、楽曲データの
再生が終了したと判断すれば、ステップＳ２３（図３−２）へ戻り、現在の聴取環境を示
す聴取環境情報を取得し、聴取環境に応じた楽曲を選択する。一方、楽曲データの再生が
終了していないと判断すれば、次に、スキップ釦Ｂ５が押下されたか否かを判断する（ス
テップＳ５９）。
【００７８】
スキップ釦Ｂ５が押下された（すなわち、ユーザーが次の楽曲再生への移行を希望して
いる）と判断すれば、楽曲データの再生を終了し（ステップＳ６０）、その後、ステップ
Ｓ２３（図３−２）へ戻る。一方、スキップ釦Ｂ５が押下されていないと判断すれば、次
に、現在の聴取環境を示す聴取環境情報を取得し（ステップＳ６１）、取得した聴取環境
情報、及びＨＤＤ３１に楽曲に対応させて記憶されている聴取環境情報に基づいて、現在
の聴取環境に応じた楽曲を検索する（ステップＳ６２）。
【００７９】
次に、検索結果に基づいて、現在の聴取環境に応じた楽曲が存在するか否かを判断する
（ステップＳ６３）。現在の聴取環境に応じた楽曲が存在すると判断すれば、次に、当該
楽曲をマイコン１２のＲＯＭにメモリされている再生記録と照合し（ステップＳ６４）、
選択可能な楽曲が存在するか否かを判断する（ステップＳ６５）。
【００８０】
照合の結果、選択可能な楽曲が存在すると判断すれば、絞り込み処理を行って、選択可
能な楽曲から１つの楽曲を選択し（ステップＳ６６）、ランダムに選択した楽曲の楽曲デ
ータの再生を終了し（ステップＳ６７）、その後、ステップＳ２９（図３−２）へ進んで
、選択した楽曲の楽曲データ、及び楽曲情報をＨＤＤ３１から読み込み、そして楽曲デー
タを再生する。
一方、ステップＳ６３において、現在の聴取環境に応じた楽曲が存在しないと判断した
場合、またステップＳ６５において、選択可能な楽曲が存在しないと判断した場合には、
そのままステップＳ５８へ戻り、ランダムに選択した楽曲の再生を継続する。
【００８１】
上記実施の形態（１）に係る情報処理装置を含んで構成される（又は情報処理方法が採
用された）、ナビゲーション機能を有したオーディオシステムによれば、ユーザーが指示
したタイミングで、楽曲の聴取環境（聴取者が楽曲を聴いている環境）を示す聴取環境情
報が、再生されている楽曲（聴取者が今現在聴いている楽曲）に対応させてＨＤＤ３１へ
書き込まれる。
【００８２】
従って、ユーザーが「今のシチュエーション（聴取環境）に、今聴いているこの楽曲は
ピッタリだ」と思った時（すなわち、今現在の聴取環境に適した楽曲が再生されている時
）、その時の聴取環境を示す聴取環境情報を、再生中の楽曲に対応させてＨＤＤ３１に記
憶させておくことができる。
【００８３】
また、ＨＤＤ３１に楽曲に対応させて記憶されている聴取環境情報に基づいて、現在の
聴取環境に応じた楽曲が選択され、選択された楽曲が再生される。例えば、「海岸付近を
６０km/h以上７０km/h未満で走行中」という聴取環境を示す前記聴取環境情報が楽曲Ａに
対応させてＨＤＤ３１へ記憶されている時に、ユーザーを乗せた車両の速度が海岸付近を
走行中に６０km/h以上になると、その聴取環境に応じた楽曲Ａが選択されて再生されるこ
とになる。
従って、過去に気に入った、「あるシチュエーションで、ある楽曲を聴く」ということ
を体験することができる。すなわち、ユーザーの感性に適合するかたちで楽曲を再生させ
ることができる。
【００８４】
また、上記実施の形態（１）に係る情報処理装置を含んで構成される（又は情報処理方
法が採用された）、ナビゲーション機能を有したオーディオシステムでは、ユーザーに登
録釦Ｂ２が押下された時に再生されていた楽曲に対する聴取環境を示す聴取環境情報をＨ
ＤＤ３１へ書き込むようにしているが、別の実施の形態では、ユーザーが毎回指示をしな
くても良いように、所定期間の間に再生されている楽曲に対する聴取環境を示す聴取環境
情報をＨＤＤ３１へ書き込むようにしても良い。
【００８５】
前記所定期間としては、例えば、下記のａ〜ｄが挙げられる。
ａ．ある時から所定時間が経過するまで
ｂ．ユーザーによる開始の指示から、終了の指示まで
ｃ．一定の楽曲数に対応する聴取環境情報がＨＤＤ３１へ書き込まれるまで
ｄ．設定された聴取環境（例えば、海岸付近を走行中）が継続している期間
【００８６】
また、上記実施の形態（１）に係る情報処理装置を含んで構成される（又は情報処理方
法が採用された）、ナビゲーション機能を有したオーディオシステムでは、楽曲の再生終
了後に、聴取環境情報を取得し、次の再生楽曲を選択するようにしているが、別の実施の
形態では、楽曲の再生終了後ではなく、再生終了直前（例えば、３０秒前）に、聴取環境
情報を取得し、次の再生楽曲を選択するようにしても良い。さらに、別の実施の形態では
、１曲ずつではなく、２曲以上まとめて選択するようにしても良い。
【図面の簡単な説明】
【００８７】
【図１】本発明の実施の形態（１）に係る情報処理装置を含んで構成される（又は情報処理方法が採用された）、ナビゲーション機能を有したオーディオシステムの要部を概略的に示したブロック図である。
【図２−１】ＨＤＤに記憶されているデータの一部を示した図である。
【図２−２】ＨＤＤに記憶されているデータの一部を示した図である。
【図３−１】実施の形態（１）に係る情報処理装置を含んで構成される（又は情報処理方法が採用された）、オーディオシステムを構成するオーディオ装置のマイコンの行う処理動作を示したフローチャートである。
【図３−２】実施の形態（１）に係る情報処理装置を含んで構成される（又は情報処理方法が採用された）、オーディオシステムを構成するオーディオ装置のマイコンの行う処理動作を示したフローチャートである。
【図３−３】実施の形態（１）に係る情報処理装置を含んで構成される（又は情報処理方法が採用された）、オーディオシステムを構成するオーディオ装置のマイコンの行う処理動作を示したフローチャートである。
【図４】表示装置に表示される操作画面の一例を示した図である。
【図５】表示装置に表示される操作画面の一例を示した図である。
【図６】表示装置に表示される操作画面の一例を示した図である。
【図７】ＨＤＤに記憶されているデータの一部を示した図である。
【図８】表示装置に表示される操作画面の一例を示した図である。
【図９】表示装置に表示される操作画面の一例を示した図である。
【図１０】表示装置に表示される操作画面の一例を示した図である。
【図１１】ＨＤＤに記憶されているデータの一部を示した図である。
【符号の説明】
【００８８】
１１  オーディオ装置
１２  マイコン
１９  リモコン
２０  表示装置
３１  ＨＤＤ
【図１】
2007041979.tif 000003
【図２−１】
2007041979.tif 000004
【図２−２】
2007041979.tif 000005
【図３−１】
2007041979.tif 000006
【図３−２】
2007041979.tif 000007
【図３−３】
2007041979.tif 000008
【図４】
2007041979.tif 000009
【図５】
2007041979.tif 000010
【図６】
2007041979.tif 000011
【図７】
2007041979.tif 000012
【図８】
2007041979.tif 000013
【図９】
2007041979.tif 000014
【図１０】
2007041979.tif 000015
【図１１】
2007041979.tif 000016